(57)【特許請求の範囲】
【請求項１】
香りの質が相互に異なる少なくとも３個の香り揮散物質を相互に分離して配置し、
前記少なくとも３個の香り揮散物質を、香り揮散物質保持部へ搭載し、当該保持部を回転することにより、香り揮散物質への風の当たり方を変え、もって、前記少なくとも３個の香り揮散物質による、香りの組成の空間的及び時間的ゆらぎを生成する
ことを特徴とする香り揮散方法。
【発明の詳細な説明】
【０００１】
【発明の属する技術分野】
この発明は、香り揮散装置および香り揮散方法に関し、特に、室内芳香やアロマテラピー等に用いられる香り揮散装置および香り揮散方法に関する。
【０００２】
【従来の技術】
従来、香料は一定の香りを有する混合物として調製され、その混合物（調合香料）が、活性剤中やゲル中に均一に分散されている。例えば、シャンプーや一般的な芳香剤においては界面活性剤中やゲル中に香料が均一に分散される。この場合、香料が放出される揮散表面には、賦香した調合物が一定の組成比で分布する。従って芳香剤の揮散表面から、香料物質が空気中に揮散すると、揮散する香気の香気組成は、前記表面組成比に基づく一定値を有する。
【０００３】
しかし、一定値を有する組成比で揮散する香気の場合、ヒトは、その質感において慣れを生じる。即ち、香りに対して徐々に興味を失い、ひいては香りそのものに対する注意や意識も減じる。これに対して、香りに対して興味を惹かせる努力が行われている。この努力には強い香りを放出させたり、香りそのものを変更したりする方法が含まれる。しかし、香調が固定であることは変わらず、いずれは慣れが生じる。又、これらは、香りを不自然な方向へ誘導することとなり、有効な対処法とは言えなかった。
【０００４】
また、香りの強さにゆらぎを発生させる香り発散装置も提案されている（特開平３−１０９０７３号）。この香り発散装置は、ファンの回転により、香り発散物質から香りを発散させる。より詳細には、室内等の空間に香りを漂わせる際に、自然界における香りの発散パターンを、ファンの回転数制御によって人工的に作り出すものである。
【０００５】
【発明が解決しようとする課題】
しかし、香りの強さの変化、すなわち香りの量的変化だけでは、ヒトはやはり、香りに対して慣れを生じ、いずれ興味を失い香りに対する注意や意識も減じてしまう。
【０００６】
この発明の目的は、前記問題点を解決することであり、香りに対する不感性をなくすことができる香り揮散装置および香り揮散方法を提供することである。
【０００７】
【課題を解決するための手段】
この発明の香り揮散装置は、空間的に分離して配置した複数の香りの源を備える。
【０００８】
前記複数の香りの源は、それぞれ異なる香りの質を有するのが好ましい。
【０００９】
また、この発明の香り揮散方法は、空間的に分離して配置した複数の香りの源を外気にさらし、あるいは揮散手段を用いて、空間的変動又は時間的変動を有する香りの組成を生成する。
【００１０】
前記複数の香りの源は、それぞれ異なる香りの質を有するのが好ましい。
【００１１】
また前記揮散手段は、加熱手段又は送風手段を含むのが望ましい。
【００１２】
【発明の実施の形態】
以下、図１乃至図４を参照してこの発明の実施の形態を詳細に説明する。
【００１３】
この実施形態の香り揮散装置及び香り揮散方法は、嗅覚の慣れによる香りに対する不感性をなくし、心地よく自然に近い香りを揮散する装置および方法を提供すべく開発された。
【００１４】
より詳細には、本願発明者は、ヒトが、心地よく且つ香りに対する興味を失わないように、香りを空間中に漂わせるためには、どのような要素が必要かという疑問に立ち返って、鋭意検討した。そして、ヒトが生き生きした香りを体験するフラワーショップや、森林空間での香気の空間分布を調べたところ、その香気は、量的にだけでなく、同時に質的に変化することが不可欠であることを発見した。すなわち、実際の自然の空間では、香りが量的にだけでなく質的に空間的又は時間的に変化することを見出した。
【００１５】
図１は、この発明の一実施形態を示す。
【００１６】
同図に示すように、この実施形態の香り揮散装置１０は、空間的に分離して配置した、異なる香りの質を有する複数の香りの源１１，１２，１３を備える。
【００１７】
より詳細には、この香り揮散装置１０は、一つの香り揮散用容器２０に、香りの質が互いに異なる複数個（図示例では３個）の香り揮散物質１１、１２、１３を各々個別に配置して成る。ここに、香り揮散物質１１、１２、１３は、例えば、香り揮散用容器２０内に設けた揮散物質保持部１４上の三角形の頂点位置に、互いに等間隔をおいて隔絶して配置される。
【００１８】
香り揮散物質１１、１２、１３は、互いに異なる香料や、異なる組成の混合物（香料組成物）から成り、天然香料又は合成香料の何れであってもよい。これらの香料としては、例えば、リモネン（limonene）、リナロール（linalool）、メチル・サリシレート（methyl salicylate）が挙げられる。
【００１９】
香り揮散用容器２０の外周部１５には、容器全周に通気用グリル１６が一様に設けられている。また、香り揮散用容器２０は、容器２０内の任意の方向へ気流が流れ得る容器構造を有する。
【００２０】
図２，図３は、前記香り揮散装置１０により生成される香りの組成の空間的変動を検出する方法及びその検出結果を示す。
【００２１】
図２に示すように、前記三角形の各頂点位置に、３種類の香り揮散物質として、リモネン試料１１、リナロール試料１２、メチル・サリシレート試料１３を配置する。ここに、前記三角形は例えば３．５ｃｍの辺を有する正三角形であり、揮散物質試料１１，１２，１３は直径３ｃｍの円形状を有する。
【００２２】
そして、各頂点方向Ａ’、Ｂ’、Ｃ’から流量３０ｍｌ／分で風を個別に当て、各方向Ａ’、Ｂ’、Ｃ’と対向する位置Ａ、Ｂ、Ｃでそれぞれ香り成分を採取する。
【００２３】
表１は、前記方法で採取された香り成分を示す。
【００２４】
【表１】
0003691411.tif 000002
表１において、Ａは頂点方向Ａ’から風を当てた場合の位置Ａでの香り成分（ピーク面積強度）を示す。ここに例えば「６Ｅ＋０９」は、６＊EXP[+09]を意味する。以下同様に、Ｂは頂点方向Ｂ’から風を当てた場合の位置Ｂでの香り成分を示す。また、Ｃは頂点方向Ｃ’から風を当てた場合の位置Ｃでの香り成分を示す。
【００２５】
なお、Ｄは、リモネン、リナロール、メチル・サリシレートを均等に混合した試料からの香り成分を示す。
【００２６】
表２は、前記混合試料からの香り成分Ｄを基準として、各位置Ａ、Ｂ、Ｃでの香り成分を規格化したものである。
【００２７】
【表２】
0003691411.tif 000003
図３は、表２を図式化したものである。
【００２８】
図３及び表２に示すように、位置Ａでの香り成分は、リモネン及びリナロールを多く含みメチル・サリシレートを少量含む。又、位置Ｂでの香り成分は、リナロールを大量に含みメチル・サリシレート、リモネンもこの順に所定量だけ含む。位置Ｃでの香り成分は、メチル・サリシレートを大量に含みリナロール、リモネンを少量含む。
【００２９】
上記検出結果から理解されるように、３種類の香り揮散物質１１、１２、１３に対する風の当て方及びその検出位置の違いにより、成分比が異なる香りの組成が生成される。すなわち、３種類の香り揮散物質１１、１２、１３に対する風の当て方等により、空間的変動を有する香りの組成が生成される。
【００３０】
又、上記から以下の事が理解される。
【００３１】
すなわち、風の当て方等を時間的に変動することにより、時間的変動を有する香りの組成を生成する事ができる。すなわち、香りの質の時間的ゆらぎを生成することができる。ここに、時間的ゆらぎは所謂1/fゆらぎ（周波数ｆが低くなると１／ｆに比例してパワースペクトル密度が大きくなるゆらぎ）の特性を有することもできる。
【００３２】
前記香り揮散物質１１、１２、１３に対して風の当て方を変える方法としては、香り揮散物質１１、１２、１３の周囲にファンを配置する方法或いは、香り揮散物質１１、１２、１３の香り揮散物質保持部１４をモータ等で回転させる方法が考えられる。
【００３３】
また、香り揮散用容器２０を室内等に配置することで、香り揮散物質１１、１２、１３に対する風の当て方を変えることもできる。この場合、室内の人の動きによる気流の変化や、窓・扉の開閉等による風の変化、又はこれらの組み合わせによって、香り揮散用容器２０を横切る気流の方向が変化し、これにより香り揮散物質１１、１２、１３に対する風の当たり方が変化する。より詳細には、前記気流の変化により、香り揮散用容器２０内に個別に配置されている香り揮散物質１１、１２、１３に対する気流の当たり方が変化し、この変化によって、各香り揮散物質１１、１２、１３から揮散する香り成分の揮散量が変化する。そしてこの揮散量変化により、香りの質にゆらぎが生ずる。
【００３４】
以上の説明から理解される如く、この実施形態による香り揮散装置および香り揮散方法によれば、一つの香り揮散用容器に分離して配置されている複数個の香り揮散物質に対して気流の当たり方が変化することによって、香り揮散物質から揮散する香り成分の揮散量が変化し、この揮散量の変化により、香りの質に空間的及び時間的ゆらぎが生じる。
【００３５】
従って、嗅覚の慣れによる香りに対する不感性がなくなり、長期間の使用でも、香りそのものに対する注意や意識が減少することがない。
【００３６】
また、自然環境の揮散方法にならっているため、自然な香りを心地よく楽しむことができ、リラックセーション、癒し効果を得ることができる。
【００３７】
また、上記香り揮散装置においては、異なる組成の混合物が個別に配置される。従って、ピペリジン、ピラジン、不飽和アルデヒドの如く他成分との混合に対して不安定な素材でも香りの源として有効に利用することができる。
【００３８】
又、香り揮散物質１１，１２，１３から香り成分を揮散させる為に、熱源又は加熱手段を使用することもできる。この場合、加熱揮散のための加熱温度は、組成物の性状に応じて、３０℃〜８０℃の範囲であることが好ましく、３５℃〜７５℃であるのが更に好ましい。
【００３９】
なお、香りの質の変化の仕方は、散在する香料の配置或いは風の当て方（角度、線速度）或いは熱源の配置の仕方の違いにより異なる。すなわちこれらにより、バリエーション豊富な自然な芳香を得ることができる。従って、香り揮散手段は、前記の風（気流）、熱源による対流など目的に応じて適宜に選択できる。また、「香料の散在」は、独立に調製した香料物質あるいは混合物を、位置的に離間して配置することである。ここに、各発香源（香り揮散物質）の相互配置関係は、香りの質の変化の最適化の問題であり、求める香りの質の変化の方法又は程度に応じて適宜に選択される。
【００４０】
なお、前記実施形態における、複数の香りの源１１，１２，１３を配置した位置に、同一種類の香りの源を配置することもできる。この同一種類の香りの源は、例えば複数の香料を混合した混合系から成ることができる。
【００４１】
又、本発明が対象となる空間は、一般家庭内の空間に限られず大規模空間を含む。この大規模空間は、オフイスビル内や、ホテルやビルのホール、劇場、コンサートホール等の広い室内を含む。
【００４２】
図４は、前記大規模空間を対象とする本発明の第２実施形態を示す。
【００４３】
同図に示すように、この実施形態の香り揮散装置６１は、オフイスビル内や、ホテルやビルのホール、劇場、コンサートホール等の広い室内あるいは空間６３へ香りを供給する。そして、この揮散装置６１は、分離配置した容器に入れた異なる香りの質を有する香料６５ａ、ｂ、ｃと、各香料６５ａ、ｂ、ｃへそれぞれ風を送る各送風機６７ａ、ｂ、ｃと、各送風機６７ａ、ｂ、ｃの運転を制御する制御装置６９とを有する。
【００４４】
この第２実施形態によれば、制御装置６９により各送風機６７ａ、ｂ、ｃの運転を制御し、各送風機６７ａ、ｂ、ｃからの送風量を時間に応じて変えることにより、大規模空間６３の香りを変化させることが出来る。
【００４５】
【発明の効果】
以上説明したように、この発明の香り揮散装置および香り揮散方法によれば、香りに対する不感性をなくすことができる。
【図面の簡単な説明】
【図１】この発明による香り揮散装置の第１実施形態を示す模式図である。
【図２】図２は、前記実施形態の香り揮散装置により生成される香りの組成の空間的変動を検出する方法を示す。
【図３】図３は、前記実施形態の香り揮散装置により生成される香りの組成の空間的変動の検出結果を示す。
【図４】図４は、この発明の香り揮散装置の第２実施形態を示す。
【符号の説明】
２０  香り揮散用容器
１１、１２、１３  香り揮散物質
１４  香り揮散物質保持部
１５  外周部
１６  通気用グリル
【図１】
0003691411.tif 000004
【図２】
0003691411.tif 000005
【図３】
0003691411.tif 000006
【図４】
0003691411.tif 000007